(57)【要約】【課題】  不正コピーの防止を行いつつ、著作権上問題が発生しないように、複数の機器で音楽データの同期をとることが難しいという問題があった。【解決手段】  音楽情報を記録できる複数の音楽機器間で音楽情報の同期をとるための音楽情報同期方法において、各音楽機器２、３に生体識別情報を含む、個人認証データを登録するステップと、一方の音楽機器２で個人認証データを識別するステップと、外部から取り込んだ音楽データに対し、個人認証データに応じて所定の処理により当該音楽データの暗号化を行う暗号化ステップと、暗号化された前記音楽データを転送するステップとを有し、他方の音楽機器３において、個人認証データを識別するステップと、暗号化されたデータを、前記個人認証IDを用いて、前記所定の処理の逆変換を行うことにより複合する手段と、を具備する。【選択図】      図４
2008159209.tif 000002
【特許請求の範囲】
【請求項１】
音楽情報を記録できる複数の音楽機器間で音楽情報の同期をとるための音楽情報同期方法において、
各音楽機器に生体識別情報を含む、個人認証データを登録するステップと、
一方の音楽機器で個人認証データを識別するステップと、
外部から取り込んだ音楽データに対し、個人認証データに応じて所定の処理により当該音楽データの暗号化を行う暗号化ステップと、
暗号化された前記音楽データを転送するステップと、
を有し、
他方の音楽機器において、個人認証データを識別するステップと、
暗号化されたデータを、前記個人認証IDを用いて、前記所定の処理の逆変換を行うことにより複合する手段と、
を具備することを特徴とする音楽情報の同期方法。
【請求項２】
前記個人認証データは指紋を用いることを特徴とする請求項1記載の音楽情報の同期方法。
【請求項３】
前記個人認証データは住民基本台帳を用いることを特徴とする請求項１記載の音楽情報の同期方法。
【発明の詳細な説明】
【技術分野】
【０００１】
本発明は、ＰＣや携帯電子機器等の間で、機器内に記憶された音楽データや画像データ等のデジタルデータの同期をとる方法に関する。
【背景技術】
【０００２】
近年、記憶媒体を内蔵して、この記憶媒体に、音楽データや画像データ等のデジタルデータを記憶し、持ち運びができるようにした、携帯音楽機器が普及してきている。これらの、携帯音楽機器では、デジタルデータを記憶するときには、例えばパソコン等に接続し、このパソコンで音楽データが録音されているＣＤや、インターネットを介した所定のサイトからダウンロードといった方法で、パソコンを経由して、デジタルデータを取り込むという、方法がとられる。
【０００３】
ここで、例えば音楽データの場合を例にして説明すると、ＣＤを購入したり、インターネットからダウンロードする際に所定の料金を支払うことで、当該音楽データの著作物としての使用許諾を受けていることになる。
【０００４】
一方、音楽データはデジタル化されたデータであるため、複製が容易であり、また複製しても品質が劣化しないことから、不正に多数のコピーすることが可能であり、著作権保護の観点からは望ましくないという、問題点があった。このため、このような不正コピーを防止するため、複製に一定の制限（例えば、複製回数を制限する等）のプロテクトをかけることも考えられている。
【０００５】
不正コピーを防止する方法としては、デジタル情報を記憶する機器にそれぞれ固有のIDコードを設定しておき、音楽データ等のデジタルデータを記録する際にこの固有IDコードに基づく所定の処理を施した上で、携帯機器にデータを記録し、再生のときの上記所定の処理の逆変換を行って再生をする技術がある（例えば、特許文献1）。
【０００６】
また、携帯音楽機器と耳装着装置との間を無線で接続する場合に、周囲に不正に視聴やコピーを防ぐ方法として、ユーザの身体的特徴（例えば指紋）を数値化してその数値を用いて、暗号化する技術がある（例えば、特許文献2）。
【特許文献１】特開平１１-１９１２６６号公報
【特許文献２】特開２００４-３６３６７１号公報
【発明の開示】
【発明が解決しようとする課題】
【０００７】
しかしながら、従来の構成では、不正コピーの防止が目的となっており、逆に、一人の個人が、同じ音楽データをパソコン、携帯音楽機器、車両内のオーディオ機器等で使用する場合は、本来、個人使用の範囲では複製が許諾されるべきであるが、ひとつの機器へのデータの登録の度に、ダウンロードをする必要があり、その都度、ダウンロード費用を支払わなければならないという問題点があった。
【０００８】
本発明は、上記事情によりなされたもので、その目的は、特定の個人が使用する範囲に限って複製が可能とする方法を提供することを目的とする。
【課題を解決するための手段】
【０００９】
上記目的を達成するために本発明は、音楽情報を記録できる複数の音楽機器間で音楽情報の同期をとるための音楽情報同期方法において、各音楽機器に生体識別情報を含む、個人認証データを登録するステップと、一方の音楽機器で個人認証データを識別するステップと、外部から取り込んだ音楽データに対し、個人認証データに応じて所定の処理により当該音楽データの暗号化を行う暗号化ステップと、暗号化された前記音楽データを転送するステップとを有し、他方の音楽機器において、個人認証データを識別するステップと、暗号化されたデータを、前記個人認証IDを用いて、前記所定の処理の逆変換を行うことにより複合する手段と、を具備することを特徴とする。
【００１０】
このような構成を有することにより、複数の機器間で音楽情報の同期が行えるようになる。
【発明の効果】
【００１１】
以上説明したように、本発明では、個人認証データを用いて暗号化を行うという構成をとるため、著作権上の問題を発生することなく、複数の機器間でデータの同期を取ることができる。
【発明を実施するための最良の形態】
【００１２】
以下、図面を参照して本発明の実施の形態を詳細に説明する。
【実施例１】
【００１３】
図１は、本発明の実施例１の全体構成を示す概念図である。
図１の中心にユーザ１がいて、このユーザ個人の所有物として、パソコン（以下、ＰＣ）２と携帯音楽機器３と、車両搭載音楽機器（カーオーディオ機器、カーナビ等）３を搭載した車両３０を所有している。このような状況で、ユーザ１が、ＰＣ２でＣＤまたはインターネットを介してデジタルデータ（例えば音楽データ）をダウンロードして、このデジタルデータを携帯音楽機器２や、車両搭載音楽機器３に転送して、利用（再生）する形態を考える。このとき、ＰＣ２、携帯音楽機器３、車両搭載音楽機器４には、それぞれ指紋識別装置が設けられ、利用する際には、ユーザ氏名の入力し、指紋識別を行うことにより、所有者であるユーザ自身の操作の場合のみ利用するようになっている。
【００１４】
図２は、ＰＣ２の構成例を示す図である。
図２に示すように、ＰＣ２は、ＣＰＵ２０１、メモリ２０２、表示部２０３、ハードディスクドライブ（ＨＤＤ）２０４、操作部（キーボード等）２０５、ＬＡＮ端子２０６、第１のＵＳＢ端子２０７、第２のＵＳＢ端子２０８、ＣＤドライブ２０９、電源回路２１０等を備えている。そして、第２のＵＳＢ端子に、指紋認証装置２２０が接続されている。
【００１５】
ＣＰＵ２０１はＰＣ全体の１１の動作を制御するプロセッサであり、メモリ２０２にロードされた各種プログラム（オペレーティングシステム、アプリケーションプログラム等）を実行する。
【００１６】
表示部２０２は、各種操作メニュー、およびアプリケーションプログラムによって必要なデータや画像等を表示する。ＨＤＤ２０４は、各種プログラムや各種データを格納するためのストレージデバイスとして機能する。操作部２０５はキーボート等からなるもので、操作に必要な入力を行う部分である。
【００１７】
第１のＵＳＢ端子２０７及び第２のＵＳＢ接続端子２０８は、他の各種デバイスと通信を行うために接続を行うための端子である。ここでは、第２のＵＳＢ端子２０８に、指紋認証装置２２０が接続されている。
【００１８】
ＬＡＮ端子２０６はインターネット等との接続を行うための外部端子である。ＣＤ／ＤＶＤドライバ２０９は、挿入されたＣＤまたはＤＶＤに対し、再生や記録を行うものである。電源回路２１０は、ＰＣ２の本体内に設けられたバッテリからの電力、または外部のＡＣアダプタからの電力を用いて、各コンポーネントに動作電源を供給する。
【００１９】
次に、図３を参照して、携帯音楽機器３のシステム構成を説明する。
ここで、携帯音楽機器は、例えば、ＰＤＡ、ＡＶ（オーディオ・ビデオ）プレーヤ、のような携帯型機器であり、内蔵バッテリによって駆動可能に構成されている。従って、携帯音楽機器は、オーディオデータおよびビデオデータを再生する場合を想定する。
【００２０】
図３に示すように、携帯音楽機器３は、ＣＰＵ３０１、メモリ３０２、ハードディスクドライブ（ＨＤＤ）３０３、表示としてのＬＣＤ３０４、操作部３０５、ＵＳＢ端子３０６、指紋認証装置３０７、ヘッドホン端子３０８、電源回路３０９等を備えている。
【００２１】
ＣＰＵ３０１は携帯音楽機器３の動作を制御するプロセッサであり、メモリ３０２にロードされた各種プログラム（オペレーティングシステム、アプリケーションプログラム等）を実行する。アプリケーションプログラムは、オーディオデータおよびビデオデータの再生、および無線通信の実行等を行うためのプログラムである。ＨＤＤ３０３は、オーディオデータおよびビデオデータ等の各種データを格納するためのストレージデバイスとして機能する。
【００２２】
ＬＣＤ３０４は、各種操作メニュー、およびアプリケーションプログラムによって再生されたビデオデータに対応する画像等を表示する。操作部３０５は、入力デバイスとしての各種操作ボタン（バックボタン、スタートボタン、ＯＫボタン、プラスボタン等）が設けられている。
【００２３】
ＵＳＢ端子３０６は他の各種デバイスとの通信を実行するために接続するための端子である。指紋認証部３０７は使用しようとしているユーザの指紋を認証する部分である。ヘッドホン端子３０８は、アプリケーションプログラムによって再生されたオーディオデータに対応するサウンド信号を生成し、そのサウンド信号を、接続されたヘッドホンに出力する。電源回路３０９は、携帯音楽機器３の本体内に設けられたバッテリからの電力、または外部のＡＣアダプタからの電力を用いて、各コンポーネントに動作電源を供給する。
【００２４】
車両搭載音楽機器４の構成については、本発明に関係する部分の構成は、図３で説明した携帯音楽機器と、略同様のため、詳細な説明は省略する。
次に、動作について説明する。
まず、ユーザ１は、ＳＴＥＰ−０１において、本発明を実施する上で必要となる、ＰＣ２、携帯音楽機器３、車載音楽機器４に、個人認証データとして、氏名を入力し、生体認証データの登録を行う。ここでは、生体認証データとして指紋が用いられており、指紋認識装置（部）で指紋を事前登録する。
【００２５】
ＰＣ２、携帯音楽機器３、車載音楽機器４では、入力された氏名と指紋データからユーザの個人認証データを作成する。個人認証データは、まず入力された氏名をコード化する。次に、指紋認識手段から入力された指紋データを画像パターンに変換し、これも数値化する。そして、コード化された氏名情報と数値化された指紋データの数値をそれぞれ対のデータとして、それぞれの機器のＨＤＤ２０３、３０３に記憶しておく。
【００２６】
以上のような事前登録が完了している状態で、ユーザが新しい音楽データを取得しようとする。
まず、ＳＴＥＰ−０２において、ユーザ１は、ＰＣ２にログインするため、氏名を入力し、指紋認識装置２２０で指紋を読み込ませる。ＰＣ２では、ＣＰＵ２０１が、ＨＤＤ２０３に登録されている入力された氏名のデータと指紋データを対比し、事前登録されているユーザの氏名データと指紋データと一致した場合は、ログインを認める。
【００２７】
次に、ＳＴＥＰ−０３で、ユーザ１がＰＣ２で新たな音楽データを取得するため、ＣＤ／ＤＶＤドライブ２０９にCDに挿入し、により、音楽データをメモリ２０２に取得（リッピング）する。（または、ＬＡＮ端子２０６を介してインターネットに接続し、所定のサイトから、ダウンロードする。）
【００２８】
次に、ＳＴＥＰ−０４で、ＰＣ２のＣＰＵ２０１は、リッピングの際、登録登録されている個人認証データ（数値化した氏名データと、数値化された指紋データ）を用いて、暗号化を行なう。ここでの暗号化は、取得した音楽データに対し、数値化された氏名データと数値化された指紋データを所定の演算式により演算を行うことにより、データを暗号化していく。
【００２９】
そして、暗号化された音楽データをＨＤＤ２０３に保存する。
次に、ＳＴＥＰ−０５において、携帯音楽端末３に対し、ユーザ１は、自己の氏名と指紋を入力し、ログインする。
次に、ＳＴＥＰ−０６において、パソコン２と携帯音楽機器３とを所定のケーブルで接続する。接続が認識されると、ＰＣ２から携帯音楽機器３へ、暗号化されたままの状態で音楽データを転送する。携帯音楽機器３では、転送された音楽データを、暗号化されたままの状態で、ＨＤＤ３０３に取り込み保存する。
【００３０】
次に、ＳＴＥＰ−０７において、ユーザ１は、操作部３０５で再生したい曲を選択する。
次に、ＳＴＥＰ−０８において、携帯音楽機器３のＣＰＵ３０１は、選択された曲に関する音楽データをＨＤＤ３０３からメモリ３０２に読み出す。そして、ユーザの個人認証データに基づき、暗号を複合する。
【００３１】
ここで、暗号の複合方法は、ＰＣ２で行われた暗号化の逆変換を行うもので、ユーザの数値化された氏名データと、数値化された指紋データを用いて、暗号化の時に行われた演算式の逆演算を行うことで、復号を行う。
【００３２】
そして、ＳＴＥＰ−０９で、復号された音楽データはヘッドホン端子３０８を介してヘッドホンに出力される。
以上説明したように、本実施例では、ＰＣで音楽データを取得する際に、ユーザの個人認識データに基づき暗号化を行っている。そして、携帯音楽機器３へ転送は暗号化されたままの状態で転送し、再生を行うときにユーザの個人認識情報を用いて復号を行っている。このため、登録されたユーザ以外の他人が、ＰＣ２にダウンロードされた音楽データを、不正に携帯音楽機器３に取り込んだとしても、暗号化されたデータとなっているため、正規ユーザの個人認証データを持たない他人は、再生ができない。
【００３３】
このことは、著作権保護の観点から説明すると以下のようになる。
まず、指紋データを登録している正規ユーザは、ＰＣ２において、ＣＤからダウンロードする時点では、ＣＤを購入する（あるいはレンタル）際に、その代金の支払いが発生する。また、インターネットからダウンロードの場合も、ダウンロード費用の支払いが発生する。このため、この時点で、著作物としての使用権の許諾を受けたことになる。このため、正規ユーザが、自己の携帯音楽機器３に転送して利用しても、著作権上の問題は発生していない。
【００３４】
一方、正規ユーザ以外の他人は、不正にコピーを行ったとしても、暗号化されていて正しく再生できないため、不正コピーを防止することになり。この点から著作権上の問題が発生しなくなる。
【実施例２】
【００３５】
上記実施例１では、ＰＣ２で音楽データを取得（リッピング）して、携帯音楽機器３へ転送する例について説明した。実施例２は、ＰＣ２で取得（リッピング）した音楽データを車載音楽機器４に転送する場合について、説明する。
【００３６】
車両搭載音楽機器４の構成については、本発明に関係する部分の構成は、図３で説明した携帯音楽機器と略同様の構成であるが、違いは、ＰＣとの接続は、ＵＳＢケーブルを使用するのではなく、ＰＣ２で記録媒体に記憶させ、この記憶媒体を車載音楽機器に挿入して、転送する使用する点が異なる。
【００３７】
その他の動作についても、携帯音楽機器３の場合と、ほぼ同様である。このため、車載音楽機器においても、ユーザの個人認識データを使用して、音楽データの復号を行うため、他人が不正に利用することを、防止できる。
【００３８】
以上説明した実施例では、個人認証データとしての生体認証として指紋データを使用する例について説明したが、個人を特定できるものであれば、これに限られない。例えば、指紋認証装置を使用する変わりに、住民基本台帳に記載されたコード番号を使用してもよい。
【図面の簡単な説明】
【００３９】
【図１】本発明の実施の形態に関わる全体構成を示す概念図。
【図２】本発明の実施の形態に関わるＰＣの構成を示す概念図。
【図３】本発明の実施の形態に関わる携帯音楽機器の構成を示す概念図。
【図４】本発明の実施の形態に関わる動作手順を示すフローチャート。
【符号の説明】
【００４０】
１・・・ユーザ
２・・・ＰＣ
３・・・携帯音楽機器
４・・・車載音楽機器
４０・・・車両
【図１】
2008159209.tif 000003
【図２】
2008159209.tif 000004
【図３】
2008159209.tif 000005
【図４】
2008159209.tif 000006